(57)【特許請求の範囲】
【請求項１】
鍼灸針を収納する収納凹所を複数並設すると共に、前記収納凹所の底部より高い位置にある周縁部を有する容器本体と、
この容器本体を覆い、前記周縁部に付着されたシート部材と、  
前記収納凹所に収納された前記鍼灸針の針柄の長手方向を横断すると共に、前記針柄の下方の前記容器本体に設けられた易折曲部とを備え、
少なくとも、前記鍼灸針を前記収納凹所内に埋没させて収納するものであり、
前記易折曲部を介して折り曲げ、折り曲げた逆Ｖ字状の前記容器本体を載置面に載置した場合、前記逆Ｖ字状に保持できる剛性を前記容器本体は有し、
前記易折曲部の前記鍼灸針の長手方向を横断する断面において、前記容器本体の側壁は、前記容器本体の底部に対して、前記容器本体の外側に向かって、斜めに形成されている
ことを特徴とする鍼灸針用包装容器。
【請求項２】
鍼灸針を収納する収納凹所を複数並設すると共に、前記収納凹所の底部より高い位置にある周縁部を有する容器本体と、
この容器本体を覆い、前記容器本体に付着されたシート部材と、  
前記収納凹所に収納された前記鍼灸針の針柄の長手方向を横断すると共に、前記針柄の下方の前記容器本体に設けられた易折曲部とを備え、
前記容器本体と前記シート部材の付着部は、前記シート部材と前記容器本体の周縁部の付着部分である周縁付着部と前記周縁付着部の内側に設けられると共に、鍼灸針の針柄の長手方向を横断する方向に設けられる付着部分である横断方向付着部とを有し、
前記収納凹所に収納された前記鍼灸針の針先から見て、前記易折曲部は、前記横断方向付着部より遠い側に位置し、
前記シート部材を前記容器本体から前記鍼灸針の針柄の長手方向に沿って剥がし、前記シート部材が前記易折曲部に達する付着部において、前記横断方向付着部の外側に前記
周縁付着部が位置している
ことを特徴とする鍼灸針用包装容器。
【請求項３】
横断方向付着部は、周縁付着部に交わる付着部を有している
ことを特徴とする請求項２記載の鍼灸針用包装容器。
【請求項４】
請求項２、又は、請求項３の鍼灸針用包装容器のシート部材を有する鍼灸針用包装容器であって、
鍼灸針の針体と遠い側の前記シート部材の端部は、容器本体よりはみ出すと共に、前記シート部材の端部の幅方向の中央部を、前記シート部材の端部の幅方向の両端部より前記容器本体よりのはみ出し量を大として、前記シート部材の剥離を収納凹所に収納された前記鍼灸針の長手方向に誘導する誘導手段を備えている
ことを特徴とする鍼灸針用包装容器。
【請求項５】
鍼灸針を収納する収納凹所を複数並設すると共に、前記収納凹所の底部より高い位置にある周縁部を有する容器本体と、
この容器本体を覆い、前記周縁部に付着されたシート部材と、  
前記鍼灸針の針柄の下方であって、前記収納凹所に収納された前記鍼灸針の長手方向を横断するように前記容器本体に設けられた易折曲部とを備え、
前記易折曲部の前記鍼灸針の長手方向を横断する断面において、前記容器本体の側壁は、前記容器本体の底部に対して、前記容器本体の外側に向かって、斜めに形成され、
前記シート部材を前記容器本体に収納された前記鍼灸針の前記針柄から針体に向かう方向から剥がし、その後、前記容器本体をシート部材の剥がし方向と逆方向に前記易折曲部を折り曲げ、
折り曲げた前記容器本体を載置面に逆Ｖ字状に載置して、前記収納凹所に収納された前記鍼灸針の針柄を露出させる
ことを特徴とする鍼灸針用包装容器の載置方法。
【請求項６】
鍼灸針を収納する収納凹所を複数並設すると共に、前記収納凹所の底部より高い位置にある周縁部を有する容器本体と、
この容器本体を覆い、前記周縁部に付着されたシート部材と、 
前記収納凹所に収納された前記鍼灸針の針柄の長手方向を横断すると共に、前記針柄の下方の前記容器本体に設けられた易折曲部とを備え、
少なくとも、前記鍼灸針を前記収納凹所内に埋没させて収納するものであり、
前記易折曲部を介して折り曲げ、折り曲げた逆Ｖ字状の前記容器本体を載置面に載置した場合、前記逆Ｖ字状に保持できる剛性を前記容器本体は有し、
前記収納凹所にストッパーを設け、前記ストッパーにより前記収納凹所に収納された前記鍼灸針の針体の先端側への移動を阻止する
ことを特徴とする鍼灸針用包装容器。
【発明の詳細な説明】
【技術分野】
【０００１】
本発明は、鍼灸針用包装容器及び鍼灸針用包装容器の載置方法に係り、特に、使用勝手の良好な鍼灸針用包装容器及び鍼灸針用包装容器の載置方法に関する。
【背景技術】
【０００２】
従来、複数の鍼灸針を収納可能で、かつ、使用本数に応じて、その使用本数分をまとめて一度に開封可能な鍼灸針の包装容器がある（特許文献１ ）。
この鍼灸針の包装容器は、容器本体（１０）と、その平面上に剥離可能に貼付けられたシート部材（２０）とからなる包装容器（ブリスタ包装）の一方の端部側に、シート部材（２０）が容器本体（１０）の外枠部分（１３）に貼付けられていない遊び部（２３）を設けるようにしている。
【先行技術文献】
【特許文献】
【０００３】
【特許文献１】特許第４８７５１５７号
【発明の概要】
【発明が解決しようとする課題】
【０００４】
上記鍼灸針の包装容器にあっては、例えば、シート部材（２０）の略半分を容器本体（１０）から剥がし、容器本体（１０）を折り曲げ、この折り曲げた逆Ｖ字状の容器本体（１０）をテーブル等の載置面に置くことが考えられるが、
テーブル等の載置面に置いた場合、やわらかく腰が無かったり、逆Ｖ字状に立たせることを意図して作成されていないため、載置状態は安定せず、鍼灸針の取り出しが不安定で使用しづらく、しかも、容器本体（１０）を折り曲げる際、折り曲げる部位が任意であることと相俟って、折り曲げ箇所が鍼灸針の針体が位置した場合、針体を誤って曲げて、針体に損傷を与えてしまい使用できないという問題点があった。
【０００５】
本発明は、上記の問題点を考慮してなされた鍼灸針用包装容器及び鍼灸針用包装容器の載置方法を提供することにある。
【課題を解決するための手段】
【０００６】
請求項１記載の鍼灸針用包装容器は、鍼灸針を収納する収納凹所を複数並設すると共に、前記収納凹所の底部より高い位置にある周縁部を有する容器本体と、この容器本体を覆い、前記周縁部に付着されたシート部材と、前記収納凹所に収納された前記鍼灸針の針柄の長手方向を横断すると共に、前記針柄の下方の前記容器本体に設けられた易折曲部とを備え、少なくとも、前記鍼灸針を前記収納凹所内に埋没させて収納するものであり、前記易折曲部を介して折り曲げ、折り曲げた逆Ｖ字状の前記容器本体を載置面に載置した場合、前記逆Ｖ字状に保持できる剛性を前記容器本体は有し、前記易折曲部の前記鍼灸針の長手方向を横断する断面において、前記容器本体の側壁は、前記容器本体の底部に対して、前記容器本体の外側に向かって、斜めに形成されているものである。
【０００７】
また、請求項２記載の鍼灸針用包装容器は、鍼灸針を収納する収納凹所を複数並設すると共に、前記収納凹所の底部より高い位置にある周縁部を有する容器本体と、この容器本体を覆い、前記容器本体に付着されたシート部材と、前記収納凹所に収納された前記鍼灸針の針柄の長手方向を横断すると共に、前記針柄の下方の前記容器本体に設けられた易折曲部とを備え、前記容器本体と前記シート部材の付着部は、前記シート部材と前記容器本体の周縁部の付着部分である周縁付着部と前記周縁付着部の内側に設けられると共に、鍼灸針の針柄の長手方向を横断する方向に設けられる付着部分である横断方向付着部とを有し、前記収納凹所に収納された前記鍼灸針の針先から見て、前記易折曲部は、前記横断方向付着部より遠い側に位置し、前記シート部材を前記容器本体から前記鍼灸針の針柄の長手方向に沿って剥がし、前記シート部材が前記易折曲部に達する付着部において、前記横断方向付着部の外側に前記周縁付着部が位置しているものである。
【０００８】
また、請求項３記載の鍼灸針用包装容器は、請求項２記載の鍼灸針用包装容器において、横断方向付着部は、周縁付着部に交わる付着部を有しているものである。
【０００９】
また、請求項４記載の鍼灸針用包装容器は、請求項２、又は、請求項３の鍼灸針用包装容器のシート部材を有する鍼灸針用包装容器であって、鍼灸針の針体と遠い側の前記シート部材の端部は、容器本体よりはみ出すと共に、前記シート部材の端部の幅方向の中央部を、前記シート部材の端部の幅方向の両端部より前記容器本体よりのはみ出し量を大として、前記シート部材の剥離を収納凹所に収納された前記鍼灸針の長手方向に誘導する誘導手段を備えているものである。
【００１０】
また、請求項５記載の鍼灸針用包装容器の載置方法は、鍼灸針を収納する収納凹所を複数並設すると共に、前記収納凹所の底部より高い位置にある周縁部を有する容器本体と、この容器本体を覆い、前記周縁部に付着されたシート部材と、前記鍼灸針の針柄の下方であって、前記収納凹所に収納された前記鍼灸針の長手方向を横断するように前記容器本体に設けられた易折曲部とを備え、前記易折曲部の前記鍼灸針の長手方向を横断する断面において、前記容器本体の側壁は、前記容器本体の底部に対して、前記容器本体の外側に向かって、斜めに形成され、前記シート部材を前記容器本体に収納された前記鍼灸針の前記針柄から針体に向かう方向から剥がし、その後、前記容器本体をシート部材の剥がし方向と逆方向に前記易折曲部を折り曲げ、折り曲げた前記容器本体を載置面に逆Ｖ字状に載置して、前記収納凹所に収納された前記鍼灸針の針柄を露出させるものである。
また、請求項６記載の鍼灸針用包装容器は、鍼灸針を収納する収納凹所を複数並設すると共に、前記収納凹所の底部より高い位置にある周縁部を有する容器本体と、この容器本体を覆い、前記周縁部に付着されたシート部材と、前記収納凹所に収納された前記鍼灸針の針柄の長手方向を横断すると共に、前記針柄の下方の前記容器本体に設けられた易折曲部とを備え、少なくとも、前記鍼灸針を前記収納凹所内に埋没させて収納するものであり、前記易折曲部を介して折り曲げ、折り曲げた逆Ｖ字状の前記容器本体を載置面に載置した場合、前記逆Ｖ字状に保持できる剛性を前記容器本体は有し、前記収納凹所にストッパーを設け、前記ストッパーにより前記収納凹所に収納された前記鍼灸針の針体の先端側への移動を阻止するものである。
【発明の効果】
【００１１】
請求項１記載の鍼灸針用包装容器によれば、収納凹所に収納された鍼灸針の針柄の長手方向を横断すると共に、前記針柄の下方の容器本体に設けられた易折曲部であるため、  シート部材を鍼灸針の針柄から針体に向かう方向から剥がし、容器本体をシート部材の剥がし方向と逆方向に易折曲部を折り曲げても、鍼灸針の針体が曲がることを防ぎ、また、例えば、左手の中指と人差し指の間に折り曲げた腰のある容器本体と剥がしたシート部材を安定して挟むことができ、露出した収納凹所に収納された鍼灸針の針柄を右手で容易に把持することができ、また、載置面に折り曲げた腰のある容器本体を逆Ｖ字状に安定して載置でき、露出した収納凹所に収納された鍼灸針の針柄を手で容易に把持することができ、加えて、包装を開封した後、鍼灸針をシャーレ、はり皿に入れ替える必要もなく、鍼灸針の針柄は取り出し易いように露出させ、鍼灸針の針体は、鍼灸針を取り出すまでは、シート部材で覆われ、汚染を防止することができる。
【００１２】
また、請求項２記載の鍼灸針用包装容器によれば、シート部材を剥がす際、開封抵抗が高まり、剥がす行為に対する注意喚起が促されて剥がす行為を停止することができ、鍼灸針の針体が露出することを防止することができる。
【００１４】
シート部材の端部の容器本体よりのはみ出し量が一定であると、シート部材の幅の端を手で把持して剥がされる場合があり、かかる場合にあっては、シート部材と隣接する収納凹所の間の頂面との付着部に対して直交でなく斜め方向から剥がし力が作用し、容易に剥がれてしまう不具合を有するが、請求項４記載の鍼灸針用包装容器によれば、鍼灸針の針体と遠い側のシート部材の端部は、容器本体よりはみ出すと共に、前記シート部材の端部の幅方向の中央部は、前記シート部材の端部の幅方向の両端部より容器本体よりのはみ出し量が大であるため、はみ出し量が大である部位に手の指を誘導して、前記不具合を防ぐことができる。
【００１５】
また、請求項５記載の鍼灸針用包装容器の載置方法によれば、載置面に折り曲げた腰のある容器本体を逆Ｖ字状に安定して載置でき、しかも、収納凹所に収納された鍼灸針の針柄を露出させるため、鍼灸針の針柄を手で容易に把持することができる。
【図面の簡単な説明】
【００１６】
【図１】図１は、本発明の一実施例の鍼灸針用包装容器の概略的斜視図であり、鍼灸針用包装容器とシート部材の付着部は省略している。
【図２】図２は、図１の概略的右側面図である。
【図３】図３は、図１の概略的底面図である。
【図４】図４は、図１の鍼灸針用包装容器のシート部材を剥がした状態を示す概略的斜視図であり、鍼灸針用包装容器とシート部材の付着部は省略している。
【図５】図５は、図４の鍼灸針用包装容器のシート部材を剥がした状態を示すと共に付着部を点状で示した概略的斜視図であり、鍼灸針用包装容器とシート部材の付着部は省略している。
【図６】図６は、図５の鍼灸針用包装容器の容器本体を逆Ｖ字状に曲げ、載置面に載置した状態を示す概略的斜視図であり、鍼灸針用包装容器とシート部材の付着部は省略している。
【図７】図７は、図６の鍼灸針用包装容器から鍼灸針を取り出した状態を示す概略的斜視図であり、鍼灸針用包装容器とシート部材の付着部は省略している。
【図８】図８は、図１の概略的正面図であり、鍼灸針用包装容器とシート部材の付着部は省略している。
【図９】図９は、図８の９−９線による概略的断面図である。
【図１０】図１０は、図９のＡの部分を拡大して示す概略的拡大断面図である。
【図１１】図１１は、図８の１１−１１線による概略的断面図である。
【図１２】図１２は、図８の１２−１２線による概略的断面図である。
【図１３】図１３は、図８の１３−１３線による概略的断面図である。
【図１４】図１４は、図８の鍼灸針用包装容器と異なる他の実施例の鍼灸針用包装容器の概略的正面図であり、鍼灸針用包装容器とシート部材の付着部は省略している。
【発明を実施するための形態】
【００１７】
本発明の一実施例の鍼灸針用包装容器及び鍼灸針用包装容器の載置方法を図１乃至図１４を参照して説明する。
【００１８】
図１に示すＰは鍼灸針用包装容器で、鍼灸針用包装容器Ｐは、鍼灸針１を収納する収納凹所２（図８、図１１〜図１３）を複数並設すると共に、収納凹所２の底部３より高い位置にある平らな外周に張り出す周縁部４を有する板状の容器本体１０と、この容器本体１０を覆い、周縁部４に剥離可能に付着（例えば、ヒートシールによる熱融着）されたシート部材２０とを有する（図５及び図６）。
なお、針柄１ａは、プラスチック又はステンレスで形成され、鍼灸針１の針体１ｂは、ステンレスなどの金属製の線状体で、先端に針先部が形成され、針体１ｂは治療目的や手技等により適した太さと長さがある。針体１ｂの太さ（線径）は、例えば、０．１０ｍｍ〜０．３５ｍｍであり、長さは、例えば、１５ｍｍ〜１５０ｍｍである。
また、鍼灸針用包装容器Ｐ及びシート部材２０は、例えば、ポリプロピレンで形成されている。
【００１９】
また、図２、図９及び図１０に示す３０は、収納凹所２に収納された鍼灸針１の針柄１ａの長手方向を横断すると共に、針柄１ａの下方の容器本体１０の底部に設けられた易折曲部で、そして、少なくとも、鍼灸針１を収納凹所２内に埋没させて収納している。
易折曲部３０は、材質的に易折曲部を設けても良いが、構造的に薄肉の易折曲部を設けている。
即ち、易折曲部３０は、収納凹所２に収納された鍼灸針１の長手方向を横断すると共に、鍼灸針１の針柄１ａの下方に直線状に設けられ、容器本体１０は、易折曲部３０により第１の容器本体１０Ａと第２の容器本体１０Ｂとに区画され、易折曲部３０の上面と下面の厚みｔ（例えば、０．３０ｍｍは、第１の容器本体１０Ａの上面と下面の厚みＴ及び第２の容器本体１０Ｂの上面と下面の厚みＴ（例えば、０．５ｍｍより小となっている（図９参照）。
詳述すれば、易折曲部３０の上面と下面の厚みｔ（例えば、０．３０ｍｍは、易折曲部３０に隣接する第１の容器本体１０Ａの上面と下面の部位の厚みＴ及び易折曲部３０に隣接する第２の容器本体１０Ｂの上面と下面の部位の厚みＴ（例えば、０．５ｍｍより小となっている（図９参照）。
また、図１３に示すように、易折曲部３０の側壁３０Ａを斜め（例えば、底面３と側壁３０Ａとのなす角度Ｒを４５°としている。）とし、易折曲部３０が折り曲げられたときの容器本体１の強度を保持するようにしている。
【００２０】
この易折曲部３０を介して折り曲げ、折り曲げた逆Ｖ字状の容器本体１０を載置面５に載置した場合、前記逆Ｖ字状に保持できる剛性を容器本体１０は有している（図６及び図７参照）。                          
鍼灸針用包装容器Ｐによれば、収納凹所２に収納された鍼灸針１の長手方向であって、鍼灸針１の針柄の下方を横断するように設けられた易折曲部３０であるため、シート部材２０を鍼灸針１の針柄１ａから針体１ｂに向かう方向から剥がし、容器本体１０をシート部材２０の剥がし方向と逆方向に易折曲部３０を折り曲げても、鍼灸針１の針体１ｂが曲がることを防ぎ、また、例えば、図示しないが、左手の中指と人差し指の間に折り曲げた腰のある板状の容器本体１０と剥がしたシート部材２０を安定して挟むことができ、露出した収納凹所２に収納された鍼灸針１の針柄１ａを右手で容易に把持することができ、また、図４及び図５に示すように、載置面５に折り曲げた腰のある板状の容器本体１０を逆Ｖ字状に安定して載置でき、露出した収納凹所２に収納された鍼灸針１の針柄１ａを手で容易に把持することができ、加えて、針体１ｂを筒体に内在する必要もなく、包装を開封した後、鍼灸針１をシャーレ、はり皿に入れ替える必要もなく、図４及び図５に示すように、鍼灸針１の針柄１ａは取り出し易いように露出させ、鍼灸針１の針体１ｂは、鍼灸針１を取り出すまでは、シート部材２０で覆われ、汚染を防止することができる。
【００２１】
また、シート部材２０を容器本体１０から剥がし、易折曲部３０を折り曲げて容器本体１０をシート部材２０の剥がし方向と逆方向に折り曲げ、折り曲げた容器本体１０を載置面５に逆Ｖ字状に載置して、収納凹所２に収納された鍼灸針１の針柄１ａを露出させる「鍼灸針用包装容器の載置方法」でもある。
この鍼灸針用包装容器の載置方法によれば、図６及び図７に示すように、載置面５に折り曲げた腰のある板状の容器本体１０を逆Ｖ字状に安定して載置でき、しかも、露出した収納凹所２に収納された鍼灸針１の針柄１ａを手で容易に把持することができる。
【００２２】
また、図５に点状で示したものはヒートシールによる付着部で、付着部は、容器本体１０の周縁部４と、容器本体１０を横断する頂面６がある。
付着部が付される部位は、収納凹所２に収納された鍼灸針１の針柄１ａの上方であって、隣接する収納凹所２の間の頂面６で、シート部材２０が付着部（例えば、ヒートシールによる熱融着）を介して頂面６に付着している（付着部は図５に点状で示した部分参照）。
そのため、シート部材２０を剥がす際、剥がされたシート部材２０がシート部材２０と頂面６とが付着している付着部に達すると、開封抵抗が高まり、剥がす行為に対する注意喚起が促されて剥がす行為を停止することができ、鍼灸針１の針体１ｂが露出することを防止することができる。
なお、頂面６は、図４に示すように複数形成されている。また、図４においては、シート部材２０を剥がした後の付着部の残渣は、省略している。
【００２３】
また、上述したことは、鍼灸針用包装容器の載置方法でもある。
即ち、鍼灸針１を収納する収納凹所２を複数並設すると共に、収納凹所２の底部より高い位置にある周縁部４を有する容器本体１０と、この容器本体１０を覆い、周縁部４に付着（例えば、熱融着）されたシート部材２０と、鍼灸針１の針柄１ａの下方であって、収納凹所２に収納された鍼灸針１の長手方向を横断するように容器本体１０に設けられた易折曲部３０とを備えている。
【００２４】
この鍼灸針用包装容器の載置方法にあっては、シート部材２０を容器本体１０に収納された鍼灸針１の針柄１ａから針体１ｂに向かう方向から剥がし、その後、容器本体１０をシート部材２０の剥がし方向と逆方向に易折曲部３０を折り曲げ、折り曲げた容器本体１０を載置面５に逆Ｖ字状に載置して、収納凹所２に収納された鍼灸針１の針柄１ａを露出させるものである（図５及び図６参照）。
【００２５】
この鍼灸針用包装容器の載置方法によれば、載置面５に折り曲げた腰のある容器本体１０を逆Ｖ字状に安定して載置でき、しかも、収納凹所２に収納された鍼灸針１の針柄１ａを露出させるため、鍼灸針１の針柄１ａを手で容易に把持することができる。
【００２６】
次に、上述した実施例と異なる他の実施例の鍼灸針用包装容器Ｐについて、説明する（図１４）。
即ち、収納凹所２に収納された鍼灸針１の長手方向に直交する方向は、Ｘ方向であり、シート部材２０のＸ方向は、幅方向であり鍼灸針１の針体１ｂと遠い側のシート部材２０の端部は、容器本体１０よりはみ出すと共に、シート部材２０の端部の幅方向の中央部２０Ｍは、シート部材２０の端部の幅方向の両端部２０Ｖ、２０Ｗより容器本体１０よりのはみ出し量が大で、手で把持できるようにしている。つまり、シート部材２０の端部の幅方向の中央部２０Ｍのはみ出し量Ｗはシート部材２０の端部のはみ出し量Ｚより大となっている。
これは、次の理由による。
即ち、シート部材２０の端部の容器本体１０よりのはみ出し量が一定であると、シート部材２０の幅の端（２０Ｖ、２０Ｗ）を手で把持して剥がされる場合があり、かかる場合にあっては、シート部材２０と隣接する収納凹所２の間の頂面６との付着部に対して直交でなく斜め方向から剥がし力が作用し、容易に剥がれてしまう不具合を有するが、
この鍼灸針用包装容器Ｐによれば、鍼灸針１の針体１ｂと遠い側のシート部材２０の端部は、容器本体１０よりはみ出すと共に、シート部材２０の端部の幅方向の中央部２０Ｍは、シート部材２０の端部の幅方向の両端部２０Ｖ、２０Ｗより容器本体１よりのはみ出し量が大であるため、はみ出し量が大である部位２０Ｍに手の指を誘導して、シート部材２０の剥離が付着部に達すると、抵抗が大きくなると共に、付着部に対して直交方向から剥がし力が作用し剥がれにくく、剥がし作用を停止させて、剥離が付着部を超えないようにして、前記不具合を防ぐことができる。
【符号の説明】
【００２７】
Ｐ      鍼灸針用包装容器
１      鍼灸針
１ａ    針柄
１ｂ    針体                
２      収納凹所
３      底部
４      周縁部
５      載置面
６      頂面
７      付着部
１０    容器本体
２０    シート部材
３０    易折曲部
【要約】
【課題】
本発明の目的は、使用勝手の良好な鍼灸針用包装容器を提供するものである。
【解決手段】
鍼灸針用包装容器Ｐは、鍼灸針１を収納する収納凹所２を複数並設すると共に、収納凹所２の底部３より高い位置にある平らな周縁部４を有する板状の容器本体１０と、この容器本体１０を覆い、周縁部４に剥離可能に貼付けられたシート部材２０と、収納凹所２に収納された鍼灸針１の針柄１ａの長手方向を横断すると共に、針柄１ａの下方に設けられた易折曲部３０とを備え、少なくとも、鍼灸針１の針体１ｂを収納凹所２内に埋没させて収納し、易折曲部３０を介して折り曲げ、折り曲げた逆Ｖ字状の容器本体１０を載置面５に載置した場合、前記逆Ｖ字状に保持できる剛性を容器本体１０は有するものである。
【選択図】図７【図１】
0006864800.tif 000002
【図２】
0006864800.tif 000003
【図３】
0006864800.tif 000004
【図４】
0006864800.tif 000005
【図５】
0006864800.tif 000006
【図６】
0006864800.tif 000007
【図７】
0006864800.tif 000008
【図８】
0006864800.tif 000009
【図９】
0006864800.tif 000010
【図１０】
0006864800.tif 000011
【図１１】
0006864800.tif 000012
【図１２】
0006864800.tif 000013
【図１３】
0006864800.tif 000014
【図１４】
0006864800.tif 000015